【手続補正書】
【提出日】平成19年1月19日(2007.1.19)
【手続補正１】
【補正対象書類名】特許請求の範囲
【補正対象項目名】全文
【補正方法】変更
【補正の内容】
【特許請求の範囲】
【請求項１】
鍵盤装置で演奏された楽曲の演奏データを入力するデータ入力手段と、
前記鍵盤装置の鍵盤の画像および当該鍵盤を演奏中の手の画像を撮像する撮像手段と、
前記楽曲に対する模範の演奏データにおける発音イベント、消音イベント、発音および消音のタイミングと前記データ入力手段から入力された押鍵データ、離鍵データ、押鍵および離鍵のタイミングとを比較し、模範の演奏データにおける演奏中の手の画像における演奏中の手の画像における手の位置、手の傾き、若しくは手の幅、又はこれらの組み合わせと前記撮像手段によって撮像された演奏中の手の画像に基づいて検出した手の位置、手の傾き、若しくは手の幅、又はこれらの組み合わせとを比較する比較手段と、
前記比較手段によって比較された結果を判定して前記鍵盤装置の演奏を評価する評価手段と、
を備えた演奏評価システム。
【請求項２】
前記比較手段は、手の甲の複数箇所に施された異なる色彩に基づいて手の位置、手の傾き、および手の幅を検出することを特徴とする請求項１に記載の演奏評価システム。
【請求項３】
前記比較手段は、各指先に施された異なる色彩に基づいて検出した運指の画像と、模範の演奏データにおける運指の画像とを比較することを特徴とする請求項１に記載の演奏評価システム。
【請求項４】
前記比較手段は、所定の操作手段によって選択された評価対象に従って、手の位置、手の傾き、若しくは手の幅、又はこれらの組み合わせを比較対象とすることを特徴とする請求項１又は２に記載の演奏評価システム。
【請求項５】
コンピュータに、
鍵盤装置で演奏された楽曲の演奏データを入力する第１のステップと、
前記鍵盤装置の鍵盤の画像および当該鍵盤を演奏中の手の画像を所定の撮像手段によって撮像する第２のステップと、
前記楽曲に対する模範の演奏データにおける発音イベント、消音イベント、発音および消音のタイミングと前記データ入力手段から入力された押鍵データ、離鍵データ、押鍵および離鍵のタイミングとを比較し、模範の演奏データにおける演奏中の手の画像における手の位置、手の傾き、若しくは手の幅、又はこれらの組み合わせと前記撮像手段によって撮像された演奏中の手の画像に基づいて検出した手の位置、手の傾き、若しくは手の幅、又はこれらの組み合わせとを比較する第３のステップと、
前記第３のステップによって比較された結果を判定して前記鍵盤装置の演奏を評価する第４のステップと、
を実行させる演奏評価処理のプログラム。
【請求項６】
前記第３のステップは、手の甲の複数箇所に施された異なる色彩に基づいて、手の位置、手の傾き、および手の幅を検出することを特徴とする請求項５に記載の演奏評価処理のプログラム。
【請求項７】
前記第３のステップは、各指先に施された異なる色彩に基づいて検出した運指の画像と、模範の演奏データにおける運指の画像とを比較することを特徴とする請求項５に記載の演奏評価処理のプログラム。
【請求項８】
前記第３のステップは、所定の操作手段によって選択された評価対象に従って、手の位置、手の傾き、若しくは手の幅、又はこれらの組み合わせを比較対象とすることを特徴とする請求項５又は６に記載の演奏評価処理のプログラム。
【手続補正２】
【補正対象書類名】明細書
【補正対象項目名】０００５
【補正方法】変更
【補正の内容】
【０００５】
請求項１に記載の演奏評価システムは、鍵盤装置（実施形態においては、図１および図２の電子楽器１に相当する）で演奏された楽曲の演奏データを入力するデータ入力手段（実施形態においては、図２のＭＩＤＩ・インターフェース１６およびＣＰＵ１１に相当する）と、鍵盤装置の鍵盤の画像および当該鍵盤を演奏中の手の画像を撮像する撮像手段（実施形態においては、図１および図２のカメラ５に相当する）と、楽曲に対する模範の演奏データにおける発音イベント、消音イベント、発音および消音のタイミングとデータ入力手段から入力された押鍵データ、離鍵データ、押鍵および離鍵のタイミングとを比較し、模範の演奏データにおける演奏中の手の画像における手の位置、手の傾き、若しくは手の幅、又はこれらの組み合わせと撮像手段によって撮像された演奏中の手の画像に基づいて検出した手の位置、手の傾き、若しくは手の幅、又はこれらの組み合わせとを比較する比較手段（実施形態においては、図２のＣＰＵ１１に相当する）と、比較手段によって比較された結果を判定して鍵盤装置の演奏を評価する評価手段（実施形態においては、図２のＣＰＵ１１に相当する）と、を備えた構成になっている。
【手続補正３】
【補正対象書類名】明細書
【補正対象項目名】０００６
【補正方法】削除
【補正の内容】
【手続補正４】
【補正対象書類名】明細書
【補正対象項目名】０００７
【補正方法】変更
【補正の内容】
【０００７】
請求項１の演奏評価システムにおいて、請求項２に記載したように、比較手段は、手の甲の複数箇所に施された異なる色彩に基づいて手の位置、手の傾き、および手の幅を検出するような構成にしてもよい。
【手続補正５】
【補正対象書類名】明細書
【補正対象項目名】０００８
【補正方法】変更
【補正の内容】
【０００８】
請求項１の演奏評価システムにおいて、請求項３に記載したように、比較手段は、各指先に施された異なる色彩に基づいて検出した運指の画像と、模範の演奏データにおける運指の画像とを比較するような構成にしてもよい。
【手続補正６】
【補正対象書類名】明細書
【補正対象項目名】０００９
【補正方法】変更
【補正の内容】
【０００９】
請求項１又は２の演奏評価システムにおいて、請求項４に記載したように、比較手段は、所定の操作手段（実施形態においては、図２のスイッチ部１４に相当する）によって選択された評価対象に従って、手の位置、手の傾き、若しくは手の幅、又はこれらの組み合わせを比較対象とするような構成にしてもよい。
【手続補正７】
【補正対象書類名】明細書
【補正対象項目名】００１０
【補正方法】変更
【補正の内容】
【００１０】
請求項５に記載の演奏評価処理のプログラムは、コンピュータに、鍵盤装置（実施形態においては、図１および図２の電子楽器１に相当する）で演奏された楽曲の演奏データを入力する第１のステップと、鍵盤装置の鍵盤の画像および当該鍵盤を演奏中の手の画像を所定の撮像手段（実施形態においては、図１および図２のカメラ５に相当する）によって撮像する第２のステップと、楽曲に対する模範の演奏データにおける発音イベント、消音イベント、発音および消音のタイミングと第１のステップによって入力された押鍵データ、離鍵データ、押鍵および離鍵のタイミングとを比較し、模範の演奏データにおける演奏中の手の画像における手の位置、手の傾き、若しくは手の幅、又はこれらの組み合わせと撮像手段によって撮像された演奏中の手の画像に基づいて検出した手の位置、手の傾き、若しくは手の幅、又はこれらの組み合わせとを比較する第３のステップと、第３のステップによって比較された結果を判定して鍵盤装置の演奏を評価する第４のステップと、を実行する。
第１のステップないし第４のステップは、実施形態においては、図２のＣＰＵ１１の処理に相当する。
【手続補正８】
【補正対象書類名】明細書
【補正対象項目名】００１１
【補正方法】削除
【補正の内容】
【手続補正９】
【補正対象書類名】明細書
【補正対象項目名】００１２
【補正方法】変更
【補正の内容】
【００１２】
請求項５の演奏評価処理のプログラムにおいて、請求項６に記載したように、第３のステップは、手の甲の複数箇所に施された異なる色彩に基づいて、手の位置、手の傾き、および手の幅を検出するような構成にしてもよい。
【手続補正１０】
【補正対象書類名】明細書
【補正対象項目名】００１３
【補正方法】変更
【補正の内容】
【００１３】
請求項５の演奏評価処理のプログラムにおいて、請求項７に記載したように、第３のステップは、各指先に施された異なる色彩に基づいて検出した運指の画像と、模範の演奏データにおける運指の画像とを比較するような構成にしてもよい。
【手続補正１１】
【補正対象書類名】明細書
【補正対象項目名】００１４
【補正方法】変更
【補正の内容】
【００１４】
請求項５又は６の演奏評価処理のプログラムにおいて、請求項８に記載したように、第３のステップは、所定の操作手段（実施形態においては、図２のスイッチ部１４に相当する）によって選択された評価対象に従って、手の位置、手の傾き、若しくは手の幅、又はこれらの組み合わせを比較対象とするような構成にしてもよい。